(57)【要約】【課題】撮影時に撮影者が手でＧＰＳアンテナを覆ってしまうことがないＧＰＳモジュール付き撮像装置を提供する。【解決手段】筐体と、筐体の上面の左右いずれかの端部に設けられた、撮影者が筐体を保持するときに指を置くための保持部と、筐体の上面のうち保持部に隣接する中央よりの位置に配置され、保持部側の端部に保持部に対して一段高くなるような段部を有し、位置情報を算出するための情報を受信する受信部と、を備える構成とした。【選択図】図１
2011101275.tif 000002
【特許請求の範囲】
【請求項１】
撮像した画像データを位置情報と共に出力する撮像装置であって、
前記撮像装置の筐体と、
前記筐体の上面の左右いずれかの端部に設けられた、撮影者が前記筐体を保持するときに指を置くための保持部と、
前記筐体の上面のうち前記保持部に隣接する中央よりの位置に配置され、前記保持部側の端部に前記保持部に対して一段高くなるような段部を有し、前記位置情報を算出するための情報を受信する受信部と、
を備えた撮像装置。
【請求項２】
前記保持部には、音声を出力するための音声出力部が配置される請求項１記載の撮像装置。
【請求項３】
外部からの音声入力を受け付ける音声入力部を備え、
前記上面の端部から順に、前記音声出力部、前記受信部および前記音声入力部が配置された、請求項２記載の撮像装置。
【発明の詳細な説明】
【技術分野】
【０００１】
本発明は、位置情報を取得可能なＧＰＳモジュールを備えた撮像装置に関し、特に撮像装置における位置情報を受信するためのＧＰＳアンテナの配置に関する。
【背景技術】
【０００２】
ＧＰＳ（Ｇｌｏｂａｌ Ｐｏｓｉｔｉｏｎｉｎｇ Ｓｙｓｔｅｍ）とは、地球上の現在位置を調べるための衛星測位システムであり、ＧＰＳ用人工衛星を利用して測位するものである。これらのＧＰＳ衛星からの信号には、衛星に搭載された原子時計からの時刻のデータ、衛星の軌道情報などが含まれている。ＧＰＳ受信機（ＧＰＳモジュール）は、３つの衛星から送られるこれらの情報から、各衛星とＧＰＳ受信機との距離を各々計算し、それを元にＧＰＳモジュールの地球上の位置を決定する。
【０００３】
近年、このＧＰＳ衛星からの信号から得られる位置情報を画像データと共に記録する撮像装置が提案されている（例えば、特許文献１参照。）。特許文献１に記載された従来の撮像装置は、撮像装置本体を横位置および縦位置のどちらに構えて使用しても、ＧＰＳ衛星からの信号を受信しやすいように、ＧＰＳアンテナが撮像装置本体の上面と側面を覆うように配置されている。
【先行技術文献】
【特許文献】
【０００４】
【特許文献１】特開平１１−１７９０８号公報
【発明の概要】
【発明が解決しようとする課題】
【０００５】
しかしながら、特許文献１に記載された従来の撮像装置は、撮影者が撮像装置を構えたときに手でＧＰＳアンテナを覆ってしまい、受信感度が低下する可能性があるという課題があった。
【０００６】
従来の撮像装置には、ＧＰＳアンテナが撮像装置本体の上面と側面を覆うように配置されている。したがって、最もよく使用される撮影形態である横位置での撮影において、撮影者は手の指（特に第二指、すなわち人差し指）をＧＰＳアンテナの部分に配置してカメラを保持してしまい、撮影時に位置情報を取得できず、画像データを位置情報と共に記録できないことがあった。
【０００７】
本発明はこのような課題に鑑みてなされたもので、撮影時に撮影者が手でＧＰＳアンテナを覆ってしまうことがないＧＰＳモジュール付きの撮像装置を提供することを目的とする。
【課題を解決するための手段】
【０００８】
上記課題を解決するために本発明の撮像装置は、撮像した画像データを位置情報と共に出力する撮像装置であって、撮像装置の筐体と、筐体の上面の左右いずれかの端部に設けられた、撮影者が筐体を保持するときに指を置くための保持部と、筐体の上面のうち保持部に隣接する中央よりの位置に配置され、保持部側の端部に保持部に対して一段高くなるような段部を有し、位置情報を算出するための情報を受信する受信部と、を備える構成とした。
【発明の効果】
【０００９】
本発明の撮像装置によれば、撮影者が撮像装置を自然に保持して構えたときにもＧＰＳアンテナを手で覆ってしまうことがなく、位置情報を確実に取得することが可能となる。
【図面の簡単な説明】
【００１０】
【図１】本発明の一実施形態による撮像装置の前方から見た概略斜視図
【図２】本発明の一実施形態による撮像装置の後方から見た概略斜視図
【図３】本発明の一実施形態による撮像装置の要部分解斜視図
【図４】本発明の一実施形態による撮像装置の後方から見た概略図
【図５】本発明の一実施形態による撮像装置を撮影者が保持したときの様子を示す図
【発明を実施するための形態】
【００１１】
〔１：デジタルカメラの概要〕
図１及び図２を用いて本発明の一実施形態に係る撮像装置の一例としてのＧＰＳモジュール付きデジタルカメラ１について説明する。図１および図２にデジタルカメラ１の概略斜視図を示す。
【００１２】
デジタルカメラ１は被写体の画像を取得するためのカメラであり、撮影した画像データを、ＧＰＳモジュールにより得られる位置情報と共に出力する。デジタルカメラ１は、概ね矩形のカメラ本体を有している。カメラ本体は、前面パネル２、背面パネル３、上面パネル４および下面パネル（図示せず）を備え、デジタルカメラの各構成を収納する筐体を構成する。前面パネル２には、撮像光学系を有するレンズ鏡筒１２が搭載されている。
【００１３】
なお、以下の説明では、デジタルカメラ１の６面を以下のように定義する。
【００１４】
デジタルカメラ１による撮影時に被写体側を向く面（レンズ鏡筒１２を有する面）をカメラ本体の前面、その反対側の面を背面とする。被写体の鉛直方向上下とデジタルカメラ１で撮像される長方形の像（一般には、アスペクト比（長辺対短辺の比）が３：２、４：３、１６：９等）の短辺方向上下とが一致するように撮影を行う場合に、鉛直方向上側に向く面を上面、その反対側の面を下面とする。さらに、被写体の鉛直方向上下とデジタルカメラ１で撮像される長方形の像の短辺方向上下とが一致するように撮影を行う場合に、被写体側から見て左側にくる面を左側面、その反対側の面を右側面とする。なお、以上の定義は、デジタルカメラ１の使用姿勢を限定するものではない。以上の定義によれば、図１は、前面、上面および右側面を示す斜視図ということになる。
【００１５】
なお、デジタルカメラ１の６面だけでなく、デジタルカメラ１に配置される各構成部材の６面も同様に定義する。すなわち、デジタルカメラ１に配置された状態の各構成部材の６面に対して、上述の定義が適用される。
【００１６】
〔２：デジタルカメラの外観構成〕
図１および図２に示すように、カメラ本体の上面には、撮影者が撮像動作等の操作を行えるように、レリーズボタン５と、電源スイッチ８と、ズーム調節レバー６と、モードダイヤル７と、が設けられている。レリーズボタン５は撮影者が露光のタイミングを入力するためのボタンである。電源スイッチ８は、撮影者がデジタルカメラ１の電源オンおよびオフを操作するためのスイッチである。ズーム調節レバー６は、撮影者が撮像光学系のズーム倍率を調節するためのレバーであり、レリーズボタン５を中心として所定の角度の範囲内で回動可能である。モードダイヤル７は、デジタルカメラ１の動作モード等を切り替えるためのダイヤルである。撮影者はモードダイヤル７を回転操作して、静止画撮影、動画撮影、再生等の動作モードを切り替える。
【００１７】
カメラ本体の背面には、操作キー１４が設けられている。操作キー１４は背面右側に設けられ、複数のボタン、スティック等を備えている。撮影者は、右手の第一指（親指）で操作キー１４を操作することで、撮影動作に関する各種設定を行う。
【００１８】
なお、レリーズボタン５と、操作キー１４と、電源スイッチ８と、ズーム調節レバー６と、モードダイヤル７とは、操作部材の一例である。これらは、プッシュボタン、スライドスイッチ、レバー、ダイヤル、タッチパネル等、どのような形態であってもよい。
【００１９】
図３は、デジタルカメラ１の要部分解斜視図である。カメラ本体の上面にはさらに、スピーカ部９と、マイク部１１Ｌおよび１１Ｒと、ＧＰＳ部１０とが設けられている。スピーカ部９は、上面に設けられたスピーカ穴部９ａと、カメラ本体内部でスピーカ穴部９ａと対向する位置に設けられたスピーカ９ｂとを備えている。スピーカ部９は、デジタルカメラ１が音声データを再生する際に音声を出力する。マイク部１１Ｌおよび１１Ｒは、上面に設けられたマイク穴部１１Ｌａおよび１１Ｒａと、カメラ本体内部でマイク穴部１１Ｌａおよび１１Ｒａの各々と対向する位置に設けられたマイク１１Ｌｂおよび１１Ｒｂとを備えている。マイク部１１Ｌおよびマイク部１１Ｒは対となってステレオマイクを構成し、デジタルカメラ１が音声データを記録する際に外部からの音声入力を受け付ける。
【００２０】
図４は、デジタルカメラ１を後方から見た概略図である。図４が示すように、ＧＰＳ部１０は、周囲の略平坦な上面に対してわずかに上方に突出した凸部１０ａを備えている。凸部１０ａは、その断面が略台形形状となっている。
【００２１】
カメラ本体内の凸部１０ａと対向する位置には、ＧＰＳアンテナ一体型のＧＰＳモジュール１０ｂが設けられている。ＧＰＳ部１０は、ＧＰＳ衛星からの信号をＧＰＳモジュール１０ｂが備えるＧＰＳアンテナにて受信し、受信した信号の情報に基づいてデジタルカメラ１の位置情報を算出して出力する。
【００２２】
カメラ本体の上面裏側の近傍には上面基板２０が配置される。スピーカ９ｂ、ＧＰＳモジュール１０ｂ、マイク１１Ｌｂおよび１１Ｒｂは、上面基板２０上に実装される。
【００２３】
カメラ本体の上面には、右側面側から順に、スピーカ部９、ＧＰＳ部１０、マイク部１１Ｌ、マイク部１１Ｒ、モードダイヤル７、レリーズボタン５およびズーム調節レバー６、電源スイッチ８が並んで配置される。レリーズボタン５およびズーム調節レバー６は、撮影者がデジタルカメラ１を保持したときに右手の人差し指でズーム調節レバー６を操作しやすいように、前面側にオフセットして配置されている。モードダイヤル７は、同様に右手の親指で回転操作しやすいように、背面側にオフセットして配置されている。
【００２４】
カメラ本体の背面には、撮像素子（図示せず）により取得された画像を表示する液晶モニタ１３が設けられている。カメラ本体の内部には、カメラの各種の制御を行う、例えばマイクロコンピュータからなる制御部（図示せず）と、撮像素子により取得された画像データを記憶する、着脱自在な記憶素子（図示せず）とが配置されている。制御部は、ＧＰＳモジュール１０ｂから得られる位置情報を、画像データと共に記憶素子に記憶するように全体を制御する。なお、デジタルカメラ１内に記憶素子を備えず、取得した画像データおよび位置情報を関連付けて外部に出力するようにしてもよい。
【００２５】
〔３：ＧＰＳ部の配置〕
上記のように、スピーカ部９、ＧＰＳ部１０、マイク部１１Ｌおよび１１Ｒは、デジタルカメラ１のカメラ本体上面に、右側面側から順に配置されている。上面の右側面側の端部にはスピーカ部９が配置され、その左側にＧＰＳ部１０が配置されることにより、ＧＰＳ部１０は、上面の右側面側の端部から所定の距離を取った位置に配置されることになる。またＧＰＳ部１０は凸部１０ａを備えることにより、その外周部に上面の平坦部に対する段部が形成される。
【００２６】
図５は、デジタルカメラ１を撮影者が保持したときの様子を示す図である。なお、図中には説明のため撮影者の左手の親指および人差し指のみを示しているが、撮影者のデジタルカメラ１の保持のしかたはこれに限定されるものではない。
【００２７】
撮影者がデジタルカメラ１を横位置で保持する際、右手はデジタルカメラ１を保持しつつ各種操作を行うため、親指を背面の操作キー１４周辺に、人差し指を上面のレリーズボタン５の上に、各々添えるようにして保持する。一方、左手は主にデジタルカメラ１を保持するため、図５に示すように、人差し指を上面の右側面の端部に、親指を下面の右側面の端部に、各々添えて上下方向に挟持するようにして保持する。このように保持することにより、左手は、前方から撮像光学系に入射する光を遮らず、また、撮影者が液晶モニタ１３を視認するのを遮らない。
【００２８】
ＧＰＳ部１０は、右端部に配置されたスピーカ部９の左側に配置されることにより、上面の端部に配置されない。したがって、ＧＰＳ部１０は撮影者の左手の人差し指で覆われない場所に位置することになる。さらに、ＧＰＳ部１０は凸部１０ａを有するため、上面の右端部の平坦部に対して一段高く構成されている。上面右端部にはスピーカ部９が配置される結果、撮影者が左手の人差し指を添えるのに十分なスペースが確保され、かつ、そのすぐ左隣、すなわちスピーカ部９に隣接する中央よりの位置にはＧＰＳ部１０の凸部１０ａの段部がある。このため、撮影者は保持したときの触感がよいように、上面右端の平坦部にのみ人差し指（第一関節から先の、指の腹の部分）をかけることになる。上面右端部のスピーカ部９は、ちょうど撮影者がデジタルカメラ１を保持する際に指の腹を置くための保持部を兼ねる（言い換えると、保持部がスピーカ部を備えている）ことになる。したがって撮影者は、上面右端部の平坦部に人差し指をかけても、凸部１０ａを備えるＧＰＳ部１０に指をかけることはなく、その結果ＧＰＳ部１０が備えるＧＰＳアンテナを覆ってしまうということがない。
【００２９】
デジタルカメラ１のカメラ本体の上面には、ＧＰＳ部１０をはじめ多数の構成要素が配置される。ここで、操作部材は、右手で操作しやすいように上面の左側に集中して配置される。また、マイク部１１Ｌおよび１１Ｒは、ステレオ集音しやすいようにできるだけ上面の中央寄りに配置することが望ましい。また、スピーカ部９は、ユーザが左手人差し指で保持する上面右端部に配置することにより、カメラ本体上面のスペースを有効に利用することができる。ＧＰＳ部１０は、使用者がデジタルカメラ１を横位置で構えたときに上方に向く（すなわち上面に配置される）ほうが、受信感度の点で有利である。また、上面にスピーカ部９、ＧＰＳ部１０およびマイク部１１Ｌおよび１１Ｒを配置することにより、スピーカ９ｂ、ＧＰＳモジュール１０ｂおよびマイク１１Ｌｂおよび１１Ｒｂを上面の直下に配置された上面基板２０に容易に実装することができる。したがって、ＧＰＳ部１０を、上面において上記のように配置されたマイク部１１Ｌおよび１１Ｒと、スピーカ部９との間に配置することが、デジタルカメラ１全体として望ましい配置となる。なお、撮影者は左手でデジタルカメラ１を保持する際に、左手の人差し指でスピーカ部９の上を保持することになり、スピーカ穴部９ａをふさぐかたちになるが、特に図５で説明したような保持のしかたが必要になるのは撮影時であり、撮影時にはスピーカは使用しなくともよいため、問題にはならない。
【００３０】
〔４：他の実施形態〕
本発明に係るＧＰＳモジュール付撮像装置は、前述の実施形態に限られず、本発明の趣旨を逸脱しない範囲で種々の修正および変更が可能である。
【００３１】
（１）
デジタルカメラ１は、カメラ本体の配置、特に上面における配置を上述の通り右端部からスピーカ部９、ＧＰＳ部１０が配置される構成として説明したが、これを左右対称（左右逆）の構成としても同様の効果が得られる。
【００３２】
（２）
ＧＰＳ部１０は、上面の周囲に対する凸部１０ａを備えるものとしたが、ＧＰＳ部１０が隣接するスピーカ部９側の端部に、スピーカ部９に対して一段高くなるように段部が構成されていればよい。例えば、スピーカ部９に対してＧＰＳ部１０を含めた他の上面全体が一段高い（言い換えるとスピーカ部９（保持部）が上面の平坦部に対して一段低い）構成としてもよい。
【００３３】
（３）
ＧＰＳ部１０の凸部１０ａの内部に、ＧＰＳモジュール１０ｂの全部または一部が配置されるようにしてもよい。ＧＰＳモジュール１０ｂは、上面基板２０の上に実装される他の部品よりも上面基板２０に対して垂直方向の寸法が大きい場合がある。そのような場合にも、凸部１０ａの内部にその全体または一部を収めるように配置することにより、デジタルカメラ１の上面の平坦部の高さを低く抑えることができ、外観をより小さく見せることが可能となる。
【００３４】
（４）
液晶モニタ１３は表示手段の一例である。表示手段の他の例としては有機ＥＬ等が挙げられる。
【００３５】
〔５：実施形態の特徴〕
上記実施形態において特徴的な部分を以下に列記する。なお、上記実施形態に含まれる発明は、以下に限定されるものではない。なお、各構成の後ろに括弧で記載したものは、特徴の理解を助けるために記載した、各構成の具体例である。各構成はこれらの具体例に限定されるものではない。
【００３６】
［Ｃ１］
撮像した画像データを位置情報と共に出力する撮像装置（デジタルカメラ１）であって、
前記撮像装置の筐体（カメラ本体）と、
前記筐体の上面の左右いずれかの端部に設けられた、撮影者が前記筐体を保持するときに指を置くための保持部（スピーカ部９）と、
前記筐体の上面のうち前記保持部に隣接する中央よりの位置に配置され、前記保持部側の端部に前記保持部に対して一段高くなるような段部を有し、前記位置情報を算出するための情報を受信する受信部（ＧＰＳ部１０）と、
を備えた。
【００３７】
［Ｃ２］
前記保持部には、音声を出力するための音声出力部(スピーカ部９)が配置される。
【００３８】
［Ｃ３］
外部からの音声入力を受け付ける音声入力部（マイク部１１Ｌおよびマイク部１１Ｒ）を備え、
前記上面の端部から順に、前記音声出力部、前記受信部および前記音声入力部が配置される。
【産業上の利用可能性】
【００３９】
本発明に係るＧＰＳモジュール付撮像装置は、撮影者が撮像装置を自然に保持して構えたときにもＧＰＳアンテナを手で覆ってしまうことがなく、位置情報を確実に取得することが可能となるため、撮像した画像データを位置情報と共に記録するデジタルカメラ等において有用である。
【符号の説明】
【００４０】
１  デジタルカメラ
２  前面パネル
３  背面パネル
４  上面パネル
５  レリーズボタン
６  ズーム調節レバー
７  モードダイヤル
８  電源スイッチ
９  スピーカ部
９ａ  スピーカ穴部
９ｂ  スピーカ
１０  ＧＰＳ部
１０ａ  凸部
１０ｂ  ＧＰＳモジュール
１１Ｌ、１１Ｒ  マイク部
１１Ｌａ、１１Ｒａ  マイク穴部
１１Ｌｂ、１１Ｒｂ  マイク
１２  レンズ鏡筒
１３  液晶モニタ
１４  操作キー
２０  上面基板
【図１】
2011101275.tif 000003
【図２】
2011101275.tif 000004
【図３】
2011101275.tif 000005
【図４】
2011101275.tif 000006
【図５】
2011101275.tif 000007